(57)【要約】 【課題】  タッチパネルを無効化する操作が簡易に行える駅務機器および監視装置を提供することを目的とする。【解決手段】  実施形態によれば、駅務機器は、記憶手段と、処理手段と、計時手段と、復帰手段とを有する。記憶手段は、タッチパネルに対する入力の無効化を継続する時間の設定値を記憶する。処理手段は、タッチパネルに入力を無効化する操作指示が入力された場合、タッチパネルへの入力を無効化する。計時手段は、処理手段によりタッチパネルへの入力を無効化した時点からの経過時間を計時する。復帰手段は、計時手段が計時する経過時間が設定値に達した場合、タッチパネルへの入力を有効にする。【選択図】図２
2014182775.tif 000002
【特許請求の範囲】
【請求項１】
タッチパネルに対する入力の無効化を継続する時間の設定値を記憶する記憶手段と、
前記タッチパネルに入力を無効化する操作指示が入力された場合、前記タッチパネルへの入力を無効化する処理手段と、
前記処理手段によりタッチパネルへの入力を無効化した時点からの経過時間を計時する計時手段と、
前記計時手段が計時する経過時間が前記設定値に達した場合、前記タッチパネルへの入力を有効にする復帰手段と、
を有する駅務機器。
【請求項２】
さらに、表示装置を制御する表示制御手段と、
前記表示装置の表示画面上に設けたタッチパネルに対する操作位置情報を検知する操作制御手段と、を有し、
前記処理手段は、前記操作制御手段が検知する操作位置情報を無効化する、
前記請求項１に記載の駅務機器。
【請求項３】
さらに、外部装置から警報を受信する受信手段を有し、
前記復帰手段は、さらに、前記処理手段によりタッチパネルへの入力を無効化している間に前記受信手段により外部装置から警報を受信した場合、前記タッチパネルへの入力を有効にする、
前記請求項１又は２の何れか１項に記載の駅務機器。
【請求項４】
前記処理手段は、前記タッチパネルへの入力の無効化を解除する復帰操作以外の操作を無効化する、
前記請求項１乃至３の何れか１項に記載の駅務機器。
【請求項５】
監視対象機器の動作状況を監視する監視装置において、
前記各監視対象機器の動作状況を示す情報を表示する表示手段と、
前記表示手段の表示画面上に設けたタッチパネルと、
前記タッチパネルに対する入力の無効化を継続する時間の設定値を記憶する記憶手段と、
前記タッチパネルに入力を無効化する操作指示が入力された場合、前記タッチパネルへの入力を無効化する処理手段と、
前記処理手段によりタッチパネルへの入力を無効化した時点からの経過時間を計時する計時手段と、
前記計時手段が計時する経過時間が前記設定値に達した場合、前記タッチパネルへの入力を有効にする復帰手段と、
を有する監視装置。
【請求項６】
さらに、前記表示部による表示内容を制御する表示制御手段と、
前記表示制御手段とは独立して動作し、前記タッチパネルに対する操作位置情報を検知する操作制御手段と、を有し、
前記処理手段は、前記操作制御手段が検知する操作位置情報を無効化する、
前記請求項５に記載の監視装置。
【請求項７】
さらに、前記監視対象機器から警報を受信する受信手段を有し、
前記復帰手段は、さらに、前記処理手段によりタッチパネルへの入力を無効化している間に前記受信手段により監視対象機器から警報を受信した場合、前記タッチパネルへの入力を有効にする、
前記請求項５又は６の何れか１項に記載の監視装置。
【請求項８】
前記処理手段は、前記タッチパネルへの入力の無効化を解除する復帰操作以外の操作を無効化する、
前記請求項１乃至３の何れか１項に記載の監視装置。
【発明の詳細な説明】
【技術分野】
【０００１】
本発明の実施形態は、駅務機器、および監視装置に関する。
【背景技術】
【０００２】
従来、監視盤、窓口処理機、券売機、精算機などの駅務機器は、タッチパネル式の表示装置を有する。タッチパネルの操作面は、人の手が直接触れるため、視認性が劣化しやすい。しかしながら、駅務機器は、操作ボタン等が表示されているため、タッチパネルが稼働している状態で清掃を行うと、誤操作してしまう問題がある。誤操作を防止するため、タッチパネル面の清掃を行う場合、従来の駅務機器は、電源を一旦オフし、清掃終了後に再起動させる必要がある。
【先行技術文献】
【特許文献】
【０００３】
【特許文献１】特開２０００−２８４９１０号公報
【発明の概要】
【発明が解決しようとする課題】
【０００４】
本発明は、タッチパネルを無効化する操作が簡易に行える駅務機器および監視装置を提供することを目的とする。
【課題を解決するための手段】
【０００５】
実施形態によれば、駅務機器は、記憶手段と、処理手段と、計時手段と、復帰手段とを有する。記憶手段は、タッチパネルに対する入力の無効化を継続する時間の設定値を記憶する。処理手段は、タッチパネルに入力を無効化する操作指示が入力された場合、タッチパネルへの入力を無効化する。計時手段は、処理手段によりタッチパネルへの入力を無効化した時点からの経過時間を計時する。復帰手段は、計時手段が計時する経過時間が設定値に達した場合、タッチパネルへの入力を有効にする。
【図面の簡単な説明】
【０００６】
【図１】図１は、実施形態に係る監視盤および改札機を含む改札システムの全体構成を概略的に示す図である。
【図２】図２は、実施形態に係る監視盤のハードウエア構成例を概略的に示すブロック図である。
【図３】図３は、実施形態に係る監視盤のタッチパネル表示装置が表示する表示例を示す図である。
【図４】図４は、実施形態に係る監視盤のタッチパネル表示装置における画面清掃モードへの移行を指示する操作手順の設定例を示す図である。
【図５】図５は、実施形態に係る監視盤のタッチパネル表示装置における画面清掃モードへの移行を指示する操作手順の設定例を示す図である。
【図６】図６は、本実施形態に係る監視盤における第１の動作例を説明するためのフローチャートである。
【図７】図７は、本実施形態に係る監視盤における第２の動作例を説明するためのフローチャートである。
【図８】図８は、本実施形態に係る監視盤における第３の動作例を説明するためのフローチャートである。
【図９】図９は、本実施形態に係る監視盤における第４の動作例を説明するためのフローチャートである。
【発明を実施するための形態】
【０００７】
以下、実施形態について図面を参照して説明する。  
図１は、実施の形態に係る監視盤１および改札機２を含む改札システムの全体構成を概略的に示す図である。  
監視盤１は、たとえば、駅の改札口ごとに設けられ、各改札口に設置された複数の改札機２（２ａ、２ｂ、２ｃ、…）に接続される。監視盤１は、タッチパネル表示装置２０を有する駅務機器の一例である。監視盤１は、監視対象となる各改札機２から動作状況を示す情報を取得し、取得した情報に基づいて各改札機２の動作状況を示す案内をタッチパネル表示装置２０に表示する。また、監視盤１は、タッチパネル表示装置２０に係員が入力する制御指示あるいは上位の装置（たとえば、センターサーバ）からの制御指示を各改札機２へ転送する機能を有する。
【０００８】
監視盤１は、監視対象となる改札機２が設置されている各改札口における係員対応用の窓口内に設置される。係員は、監視盤１が表示する各改札機２の動作状況を示す情報によって、改札口に設置されている各改札機２の動作状況を監視する。また、監視盤１は、操作員からの指示に従って、各自動改札機の電源のオンオフ制御を制御したり、各自動改札機のドアの開閉を制御したり、各自動改札機の警報解除などを行ったりする。
【０００９】
改札機２は、改札業務を行う駅務機器である。改札機２は、鉄道の駅構内の改札口などに複数台が並べて設置され、利用者の通行を制御する。たとえば、改札機２は、２台１組で改札用の通路を形成し、改札用の通路を通行する利用者に対して改札処理を行う。改札機２は、通常動作モードにおいて、改札用の通路を通行する利用者が所持する乗車券媒体に記録された情報を読み取り、読み取った情報に基づいて利用者に対する通行（入場あるいは出場）の可否を判定し、その判定結果に基づいて利用者の通行（入場又は出場）を制御する。
【００１０】
次に、監視盤１の構成例について説明する。  
図２は、実施形態に係る監視盤１のハードウエア構成例を概略的に示すブロック図である。  
図２に示すように、監視盤１は、制御装置１０とタッチパネル表示装置２０とを有する。図２に示す監視盤１は、タッチパネル表示装置２０を有する駅務機器の一例である。制御装置１０とタッチパネル表示装置２０とは、表示制御器２１および操作位置検出器２２を介して接続する。制御装置１０は、表示制御器２１に制御信号を与えることによりタッチパネル表示装置２０が表示する表示内容を制御する。また、制御装置１０は、操作位置検出器２２が検出したタッチ位置を示す信号を取得することにより、タッチパネル表示装置２０の表示画面上においてタッチされた位置を特定する。また、制御装置１０は、操作位置検出器２２の動作（タッチパネル面へのタッチ位置の検知動作）を停止させたり、動作を開始させたりする制御機能を有するものであっても良い。
【００１１】
図２に示す構成例において、監視盤１の制御装置１０は、ＣＰＵ１１、ＲＯＭ１２、ＲＡＭ１３、記憶部１４、通信インターフェース（Ｉ／Ｆ）１５、表示制御部１６、操作制御部１７を有する。たとえば、監視盤１の制御装置１０は、インストールしたプログラムをＣＰＵなどのプロセッサが実行することにより各種の処理機能を実現するコンピュータ（ＰＣ）である。
【００１２】
ＣＰＵ１１は、監視盤１全体の主たる制御を司るものである。ＣＰＵ１１は、ＲＡＭ１３を用いて、ＲＯＭ１２あるいは記憶部１４が記憶するプログラムを実行することにより各種の処理機能を実現する。たとえば、ＣＰＵ１１は、監視対象となる各改札機２から動作状況を示す情報を取得し、各改札機２の動作状況を示す情報をタッチパネル表示装置２０に表示させる制御を行う。また、ＣＰＵ１１は、画面清掃モードへの切り替える処理、および、画面清掃モードから復帰する処理を行う機能を有する。また、ＣＰＵ１１は、タイマ１１ａを有する。タイマ１１ａは、画面清掃モードへ移行する場合に所定の清掃時間を計時するために用いられる。
【００１３】
ＲＯＭ１２は、制御プログラム及び制御データを記憶する不揮発性のメモリである。ＲＡＭ１３は、作業用のデータを一時的に記憶する揮発性のメモリである。記憶部１４は、書換え可能な不揮発性の記憶装置により構成される。たとえば、記憶部１４は、ＥＥＰＲＯＭ、フラッシュメモリ、ハードディスクドライブ（ＨＤＤ）、或いは、ソリッドステートドライブ（ＳＳＤ）などにより構成する。
【００１４】
記憶部１４は、設定情報およびアプリケーションプログラムなどを記憶する。たとえば、記憶部１４は、画面清掃モードを実行する清掃時間の設定値（例えば、１分程度）を記憶する。清掃時間は、更新可能な設定情報である。清掃時間は、例えば、制御装置１０としてのコンピュータの再起動時間よりも短い時間が設定することが想定される。また、ＣＰＵ１１或いは操作制御部１７が画面清掃モードを実行するための処理プログラムなども記憶部１４に記憶するようにしても良い。
【００１５】
通信部１５は、各改札機２と通信するためのインターフェースである。すなわち、通信部１５は、ネットワークを介して各改札機２に接続する。たとえば、通信部１５は、改札機２から固有ＩＤ及び号機番号などの機体の識別情報とともに、動作状態を示す情報を取得する。
【００１６】
表示制御部１６は、表示制御器２１に接続される。表示制御部１６は、表示制御器２１を介して表示部としてのタッチパネル表示装置２０が表示する表示内容を制御する。表示制御部１６は、ＣＰＵ１１がプログラムを実行することにより実現されるものであっても良い。
【００１７】
操作制御部１７は、操作位置検出器２２に接続される。操作制御部１７は、操作位置検出器２２が検出するタッチパネル上のタッチ位置（操作位置）を示す情報を取得する。操作制御部１７は、操作位置検出器２２が検出する操作位置を示す情報をＣＰＵ１１へ通知する。操作制御部１７は、ＣＰＵ１１がプログラムを実行することにより実現されるものであっても良い。
【００１８】
次に、監視盤１のタッチパネル表示装置２０の表示例について説明する。  
図３は、監視盤１のタッチパネル表示装置２０が表示する表示例を示す図である。  
図３に示す表示内容は、各改札機２の状態を監視する監視盤１としては、常時表示すべき内容を含むものである。
【００１９】
図３に示す表示例は、共通表示部３１と可変表示部３２とを有する。  
共通表示部３１には、日時表示部３３と通路状態表示部３４とを表示する。  
日時表示部３３は、現在の日付、曜日、および時刻を表示する。
【００２０】
通路状態表示部３４は、改札機２が形成する各通路の状態を表示する領域である。たとえば、通路状態表示部３４において、矢印は、進入可能な通路方向を示す。また、矢印は、改札機の状態に応じた色で表示する。たとえば、改札、集札、電源断などの状態を色で区別して表示する。矢印通路状態は、マークで表示する。たとえば、通行禁止状態の通路には、通行禁止を示すマークを表示する。各通路を形成する改札機の号機番号は数字で表示する。また、号機番号を示す数字は、運転中、電源断中などの状態に応じて色で区別して表示するようにしても良い。
【００２１】
また、可変表示部３２には、現在状況モニタ３５と画面ボタン群３６とを表示する。  
現在状況モニタ３５は、各種の異常などの発生したイベントをリストで表示する。たとえば、現在状況モニタ３５は、標準値と異なる設定、データ集計機との通信異常、係員通路制御部との通信異常、検知部異常、および、監視盤の内部異常などを、優先順位に基づいて所定件数（例えば１０件）分表示する。また、所定件数異常である場合には最下段に次項目が有ることを示すボタンを表示し、そのボタンへのタッチを検知するごとに表示する項目を入れ替える。
【００２２】
また、画面ボタン群３６には、終業モードボタン、通路ボタン、設定ボタン、別集札ボタン、異常情報履歴ボタン、発券枚数表示ボタン、リセットボタン、警報停止ボタン３６ａなどを表示する。たとえば、警報停止ボタン３６ａは、何れかの改札機で警報が発生した場合に有効となるボタンである。警報停止ボタン３６ａをタッチすると、警報を停止する。すなわち、係員は、何れかの改札機２で警報が発生した場合、警報の内容を確認した上で警報停止ボタン３６ａをタッチする。
【００２３】
次に、監視盤１のタッチパネル表示装置２０において画面清掃モードへの移行（タッチパネルの無効化）を指示する操作手順の例について説明する。  
画面清掃モードへの移行を指示する操作手順は、予め設定しておくものである。画面清掃モードへの移行を指示する操作手順としては、たとえば、通常では行われないような操作手順が設定される。
【００２４】
図４及び図５は、画面清掃モードへの移行を指示する操作手順の設定例を示す図である。図４では、画面清掃モードへの移行を指示する操作手順として、タッチパネル表示装置の表示画面における４隅を左上、右上、左下、右下の順にタッチする操作手順を示している。また、図４に矢印で示すように、左上から右上への直線、右上から左下への直線、及び、左下から右下への直線が連続的なタッチされる操作手順を画面清掃モードへの移行を指示する操作手順として設定しても良い。
【００２５】
また、図５は、図中に矢印で示すように、画面清掃モードへの移行を指示する操作手順として、画面中央付近を通る縦方向の直線を描き、続いて画面中央付近を通る横方向の直線を描く。一線し、タッチパネル表示装置の表示画面における４隅を左上、右上、左下、右下の順にタッチする操作手順を示している。また、図４に矢印で示すように、左上から右上、右上から左下、左下から右下への連続的なタッチを画面清掃モードへの移行を指示する操作手順として設定しても良い。
【００２６】
さらには、画面上の特定の表示部位を複数回連続でタッチしたり、所定時間以上タッチし続けたりすることを、画面清掃モードへの移行を指示する操作手順として設定しても良い。たとえば、図３に示す表示例において、日時の領域部位を複数回連続でタッチ（例えば、ダブルクリック）することを、画面清掃モードへの移行を指示する操作手順として設定しても良い。
【００２７】
次に、タッチパネル表示装置２０の画面を清掃する画面清掃モードへの移行を含む第１の動作例について説明する。  
図６は、監視盤１における第１の動作例を説明するためのフローチャートである。  
第１の動作例においては、画面清掃モードへの移行を指示する操作を検知した場合、所定の清掃時間だけタッチパネルへの操作を無効化し、清掃時間を超過すると、タッチパネルへの操作を有効な状態に復帰させるものである。
【００２８】
すなわち、監視盤１の操作制御部１７は、操作位置検出器２２が検出する信号によりタッチパネル表示装置２０のタッチパネルへの操作があったか否かを判断する（ステップＳ１１）。タッチパネルへの操作が無ければ（ステップＳ１１、ＮＯ）、操作制御部１７は、操作入力待ちの状態で待機する。
【００２９】
タッチパネルへの操作を検出した場合（ステップＳ１１、ＹＥＳ）、操作制御部１７は、操作位置検出器２２が検出する操作位置（タッチ位置）を示す情報に基づいて、タッチパネル表示装置２０への操作内容が画面清掃モードへの移行を指示する操作（タッチパネル無効化操作）であるか否かを判断する（ステップＳ１２）。
【００３０】
タッチパネル表示装置２０への操作内容が画面清掃モードへの移行を指示する操作（タッチパネル無効化操作）でないと判断した場合（ステップＳ１２、ＮＯ）、操作制御部１７は、タッチパネル表示装置２０への操作内容に応じた指示内容を示す情報をＣＰＵ１１へ通知する。操作制御部１７から指示内容を示す情報を受けると、ＣＰＵ１１は、指示内容に応じた処理を実行する（ステップＳ１３）。
【００３１】
また、タッチパネル表示装置２０への操作内容が画面清掃モードへの移行を指示する操作（タッチパネル無効化操作）であると判断した場合（ステップＳ１２、ＹＥＳ）、操作制御部１７は、タッチパネル無効化操作が指示された事をＣＰＵ１１へ通知する。タッチパネル無効化操作の指示を受けると、ＣＰＵ１１は、清掃時間（タッチパネルを無効化する時間）をセットし、タイマ１１ａによる計時を開始する（ステップＳ１４）。
【００３２】
また、タッチパネル表示装置２０への操作内容がタッチパネル無効化操作であると判断した場合（ステップＳ１２、ＹＥＳ）、操作制御部１７は、タッチパネルを無効化する処理を行う（ステップＳ１５）。タッチパネルへの入力を無効化する処理としては、操作位置検出器２２の動作をオフするようにしても良いし、操作制御部１７が操作位置検出器２２から入力する信号を無視する（例えば、ＣＰＵ１１へ通信しない）ようにしても良い。
【００３３】
タイマ１１ａが計時する時間が所定の清掃時間を超えた場合（ステップＳ１６、ＹＥＳ）、ＣＰＵ１１は、操作制御部１７へタッチパネルへの操作を有効とする指示を送る。操作制御部１７は、ＣＰＵ１１から指示に応じてタッチパネルへの操作を有効する処理を行う（ステップＳ１７）。たとえば、操作位置検出器２２の動作をオフしてタッチパネルを無効化した場合には、タッチパネルへの操作を有効とする処理として操作位置検出器２２をオンするようにすれば良いし、操作制御部１７が操作位置検出器２２から入力する信号を無視するようにした場合には、操作位置検出器２２から入力する信号をＣＰＵ１１へ通知する処理を再開するようにすれば良い。
【００３４】
上記第１の動作例によれば、監視盤は、画面清掃モードへの移行を指示する操作を受けた場合に、タッチパネルへの操作を無効とする画面清掃モードへ移行し、画面清掃モードへの移行後に所定の清掃時間が経過すると自動的にタッチパネルへの操作を有効化する。これにより、監視盤のタッチパネル表示装置の表示自体はオフことなく、タッチパネルへの操作を無効とすることができ、簡単にタッチパネル面の清掃を行うことができる。
【００３５】
また、画面清掃モードは、所定の清掃時間が経過すると自動的にタッチパネルを復帰する処理を実施するため、画面清掃後の操作忘れなどよってタッチパネルが長時間に亘って使用できない状態となることもない。
【００３６】
次に、タッチパネル表示装置２０の画面を清掃する画面清掃モードへの移行を含む第２の動作例について説明する。  
図７は、監視盤１における第２の動作例を説明するためのフローチャートである。  
第２の動作例は、上述した第１の動作例に加えて、タッチパネルへの操作を無効化している画面清掃モード中に警報が発生した場合には直ちにタッチパネルへの操作を有効な状態に復帰させる処理を行うものである。
【００３７】
すなわち、監視盤１の操作制御部１７は、操作位置検出器２２が検出する信号によりタッチパネル表示装置２０のタッチパネルへの操作があったか否かを判断する（ステップＳ２１）。タッチパネルへの操作が無ければ（ステップＳ２１、ＮＯ）、操作制御部１７は、操作入力待ちの状態で待機する。
【００３８】
タッチパネルへの操作を検出した場合（ステップＳ２１、ＹＥＳ）、操作制御部１７は、操作位置検出器２２が検出する操作位置（タッチ位置）を示す情報に基づいて、タッチパネル表示装置２０への操作内容が画面清掃モードへの移行を指示する操作（タッチパネル無効化操作）であるか否かを判断する（ステップＳ２２）。
【００３９】
タッチパネル表示装置２０への操作内容が画面清掃モードへの移行を指示する操作（タッチパネル無効化操作）でないと判断した場合（ステップＳ２２、ＮＯ）、操作制御部１７は、タッチパネル表示装置２０への操作内容を示す情報をＣＰＵ１１へ通知する。操作制御部１７から操作内容を示す情報を受けると、ＣＰＵ１１は、操作内容に応じた処理を実行する（ステップＳ２３）。
【００４０】
また、タッチパネル表示装置２０への操作内容が画面清掃モードへの移行を指示する操作（タッチパネル無効化操作）であると判断した場合（ステップＳ２２、ＹＥＳ）、操作制御部１７は、タッチパネル無効化操作が指示された事をＣＰＵ１１へ通知する。タッチパネル無効化操作の指示を受けると、ＣＰＵ１１は、清掃時間（タッチパネルを無効化する時間）をセットし、タイマ１１ａによる計時を開始する（ステップＳ２４）。
【００４１】
また、タッチパネル表示装置２０への操作内容がタッチパネル無効化操作であると判断した場合（ステップＳ２２、ＹＥＳ）、操作制御部１７は、タッチパネルを無効化する処理を行う（ステップＳ２５）。
【００４２】
タッチパネルへの操作を無効化している画面清掃モード中である間も、ＣＰＵ１１は、改札機２からの警報を受付ける。警報を受付けると（ステップＳ２７、ＹＥＳ）、ＣＰＵ１１は、表示制御部１６を介して表示制御器２１を制御することにより、タッチパネル表示装置２０に警報を表示するとともに、警報を停止させる警報停止ボタンを表示する。警報停止ボタン３６ａを表示するとともに、ＣＰＵ１１は、警報停止ボタンを有効にするため、タイマ１１ａが計時する時間にかかわらず、直ちにタッチパネルへの操作を有効とする処理を行う（ステップＳ２８）。なお、画面清掃モード中に警報に応じてタッチパネルを有効にする場合は、警報停止ボタン３６ａだけを有効にするようにしても良い。
【００４３】
また、警報を受けることなくタイマ１１ａが計時する時間が清掃時間を経過すると（ステップＳ２６、ＹＥＳ）、ＣＰＵ１１は、操作制御部１７へタッチパネルへの操作を有効する指示を送る。操作制御部１７は、ＣＰＵ１１からの指示に応じてタッチパネルへの操作を有効とする処理を行う（ステップＳ２８）。
【００４４】
上記第２の動作例によれば、画面清掃モード中であっても、改札機などからの警報を受けた場合には、直ちにタッチパネル表示装置のタッチパネルを復帰（有効化）させ、警報停止ボタンを指示することができる。
【００４５】
次に、タッチパネル表示装置２０の画面を清掃する画面清掃モードへの移行を含む第３の動作例について説明する。  
図８は、監視盤１における第３の動作例を説明するためのフローチャートである。  
第３の動作例は、特定の操作によって画面清掃モードに移行し、画面清掃モード中には画面清掃モードを解除する特定の復帰操作以外の入力を受付けないようにしたものである。すなわち、第３の動作例は、第１の動作例に加えて、画面清掃モード中であっても、画面清掃モードを解除する特定の復帰操作によって、画面清掃モードを解除できるものである。
【００４６】
まず、監視盤１の操作制御部１７は、操作位置検出器２２が検出する信号によりタッチパネル表示装置２０のタッチパネルへの操作があったか否かを判断する（ステップＳ３１）。タッチパネルへの操作が無ければ（ステップＳ３１、ＮＯ）、操作制御部１７は、操作入力待ちの状態で待機する。
【００４７】
タッチパネル表示装置２０のタッチパネルへの操作を検出した場合（ステップＳ３１、ＹＥＳ）、操作制御部１７は、操作位置検出器２２が検出する操作位置（タッチ位置）を示す情報に基づいて、タッチパネル表示装置２０への操作内容が画面清掃モードへの移行を指示する操作（タッチパネル無効化操作）であるか否かを判断する（ステップＳ３２）。
【００４８】
タッチパネル表示装置２０への操作内容が画面清掃モードへの移行を指示する操作（タッチパネル無効化操作）でないと判断した場合（ステップＳ３２、ＮＯ）、操作制御部１７は、タッチパネル表示装置２０への操作内容を示す情報をＣＰＵ１１へ通知する。操作制御部１７から操作内容を示す情報を受けると、ＣＰＵ１１は、操作内容に応じた処理を実行する（ステップＳ３３）。
【００４９】
タッチパネル表示装置２０への操作内容が画面清掃モードへの移行を指示する操作であると判断した場合（ステップＳ３２、ＹＥＳ）、操作制御部１７は、画面清掃モードへの移行が指示された事をＣＰＵ１１へ通知する。画面清掃モードへの移行の指示を受けると、ＣＰＵ１１は、清掃時間（画面清掃モードの実施時間）をセットし、タイマ１１ａによる計時を開始する（ステップＳ３４）。
【００５０】
また、タッチパネル表示装置２０への操作内容が画面清掃モードへの移行を指示であると判断した場合（ステップＳ３２、ＹＥＳ）、操作制御部１７は、画面清掃モードへの移行を行う（ステップＳ３５）。ただし、第３の動作例では、画面清掃モード中であっても画面清掃モードの解除を指示する特定の復帰操作を受付ける。このため、第３の動作例では、画面清掃モード中、操作制御部１７は、操作位置検出器２２から入力する信号がタッチパネル無効化を解除する特定の操作であるか否かをチェックする。
【００５１】
すなわち、画面清掃モード中も、操作制御部１７は、操作位置検出器２２が検出する信号によりタッチパネル表示装置２０のタッチパネルへの操作があったか否かを判断する（ステップＳ３６）。タッチパネルへの操作が無ければ（ステップＳ３６、ＮＯ）、操作制御部１７は、タイマ１１ａが計時する時間が清掃時間を超えるまで待機する。
【００５２】
タッチパネル表示装置２０のタッチパネルへの操作を検出した場合（ステップＳ３６、ＹＥＳ）、操作制御部１７は、操作位置検出器２２が検出する操作位置（タッチ位置）を示す情報に基づいて、タッチパネル表示装置２０への操作内容が画面清掃モードからの復帰を指示する復帰操作であるか否かを判断する（ステップＳ３７）。タッチパネル表示装置２０への操作内容が画面清掃モードからの復帰操作でなければ（ステップＳ３７、ＮＯ）、操作制御部１７は、操作位置検出器２２が検出した操作内容を無視する（ステップＳ３８）。
【００５３】
また、タッチパネル表示装置２０への操作内容が画面清掃モードからの復帰操作である場合（ステップＳ３７、ＮＯ）、操作制御部１７は、画面清掃モードを解除し（ステップＳ４０）、ＣＰＵ１１へ画面清掃モードを解除した旨を通知する。
【００５４】
復帰操作を受けることなくタイマ１１ａが計時する時間が清掃時間を経過すると（ステップＳ３９、ＹＥＳ）、ＣＰＵ１１は、操作制御部１７へ画面清掃モードによる清掃時間が終了したことを通知する。操作制御部１７は、ＣＰＵ１１からの清掃時間終了の通知に応じて画面清掃モードを解除する処理を行う（ステップＳ４０）。
【００５５】
上記第３の動作例によれば、画面清掃モード中であっても、特定の復帰操作を行えば、直ちに画面清掃モードを解除でき、タッチパネル表示装置のタッチパネルを通常の操作状態の復帰させることができる。
【００５６】
次に、タッチパネル表示装置２０の画面を清掃する画面清掃モードへの移行を含む第４の動作例について説明する。  
図９は、監視盤１における第４の動作例を説明するためのフローチャートである。  
第４の動作例は、上述した第３の動作例に加えて、画面清掃モード中であっても、警報が発生した場合には直ちに画面清掃モードを解除してタッチパネルへの操作を通常状態に復帰させる処理を行うものである。
【００５７】
すなわち、監視盤１の操作制御部１７は、操作位置検出器２２が検出する信号によりタッチパネル表示装置２０のタッチパネルへの操作があったか否かを判断する（ステップＳ４１）。タッチパネルへの操作が無ければ（ステップＳ４１、ＮＯ）、操作制御部１７は、操作入力待ちの状態で待機する。
【００５８】
タッチパネル表示装置２０のタッチパネルへの操作を検出した場合（ステップＳ４１、ＹＥＳ）、操作制御部１７は、操作位置検出器２２が検出する操作位置（タッチ位置）を示す情報に基づいて、タッチパネル表示装置２０への操作内容が画面清掃モードへの移行を指示する操作（タッチパネル無効化操作）であるか否かを判断する（ステップＳ４２）。
【００５９】
タッチパネル表示装置２０への操作内容が画面清掃モードへの移行を指示する操作（タッチパネル無効化操作）でないと判断した場合（ステップＳ４２、ＮＯ）、操作制御部１７は、タッチパネル表示装置２０への操作内容を示す情報をＣＰＵ１１へ通知する。操作制御部１７から操作内容を示す情報を受けると、ＣＰＵ１１は、操作内容に応じた処理を実行する（ステップＳ４３）。
【００６０】
タッチパネル表示装置２０への操作内容が画面清掃モードへの移行を指示する操作であると判断した場合（ステップＳ４２、ＹＥＳ）、操作制御部１７は、画面清掃モードへの移行が指示された事をＣＰＵ１１へ通知する。画面清掃モードへの移行の指示を受けると、ＣＰＵ１１は、清掃時間（画面清掃モードの実施時間）をセットし、タイマ１１ａによる計時を開始する（ステップＳ４４）。
【００６１】
また、タッチパネル表示装置２０への操作内容が画面清掃モードへの移行を指示であると判断した場合（ステップＳ４２、ＹＥＳ）、操作制御部１７は、画面清掃モードへの移行を行う（ステップＳ４５）。ただし、第４の動作例では、画面清掃モード中も特定の復帰操作を受付ける。このため、第４の動作例では、画面清掃モード中であっても、操作制御部１７は、操作位置検出器２２から入力する信号が画面清掃モードを解除する特定の復帰操作であるか否かをチェックする。
【００６２】
すなわち、画面清掃モード中も、操作制御部１７は、操作位置検出器２２が検出する信号によりタッチパネル表示装置２０のタッチパネルへの操作があったか否かを判断する（ステップＳ４６）。タッチパネルへの操作が無ければ（ステップＳ４６、ＮＯ）、操作制御部１７は、タイマ１１ａが計時する時間が清掃時間を超えるまで待機する。
【００６３】
タッチパネル表示装置２０のタッチパネルへの操作を検出した場合（ステップＳ４６、ＹＥＳ）、操作制御部１７は、操作位置検出器２２が検出する操作位置（タッチ位置）を示す情報に基づいて、タッチパネル表示装置２０への操作内容が画面清掃モードからの復帰を指示する復帰操作であるか否かを判断する（ステップＳ４７）。タッチパネル表示装置２０への操作内容が画面清掃モードからの復帰操作でなければ（ステップＳ４７、ＮＯ）、操作制御部１７は、操作位置検出器２２が検出した操作内容を無視する（ステップＳ４８）。
【００６４】
また、タッチパネル表示装置２０への操作内容が画面清掃モードからの復帰操作である場合（ステップＳ４７、ＮＯ）、操作制御部１７は、画面清掃モードを解除し（ステップＳ５１）、ＣＰＵ１１へ画面清掃モードを解除した旨を通知する。
【００６５】
さらに、画面清掃モード中である間も、ＣＰＵ１１は、改札機２等からの警報を受付ける。警報を受信すると（ステップＳ４９、ＹＥＳ）、ＣＰＵ１１は、表示制御部１６を介して表示制御器２１を制御することにより、タッチパネル表示装置２０に警報を表示するとともに、警報を停止させる警報停止ボタン３６ａを表示する。警報停止ボタン３６ａを表示するとともに、ＣＰＵ１１は、警報停止ボタン３６ａを有効にするため、直ちに画面清掃モードを解除する処理を行う（ステップＳ５１）。なお、画面清掃モード中に警報に応じてタッチパネルを有効にする場合は、警報停止ボタン３６ａだけを有効にするようにしても良い。
【００６６】
また、復帰操作及び警報を受けることなくタイマ１１ａが計時する時間が清掃時間を経過すると（ステップＳ５０、ＹＥＳ）、ＣＰＵ１１は、操作制御部１７へ画面清掃モードによる清掃時間が終了したことを通知する。操作制御部１７は、ＣＰＵ１１からの清掃時間終了の通知に応じて画面清掃モードを解除する処理を行う（ステップＳ５１）。
【００６７】
上記第４の動作例によれば、画面清掃モード中であっても、特定の操作を行えば、直ちに画面清掃モードを解除して、タッチパネル表示装置のタッチパネルを通常の操作状態に復帰させることができるとともに、画面清掃モード中に警報を受信したにも直ぐにタッチパネルを通常の操作状態に復帰させて当該警報に対応できる。
【００６８】
なお、上記実施形態を駅務機器として監視盤に適用した例について説明したが、本実施形態は、窓口処理機、券売機、精算機などのタッチパネルを有する各種の駅務機器に適用できるものである。駅務機器では、簡単に電源をオフすることができないため、上述した実施形態を提供して電源をオフせずに、一時的にタッチパネルの機能をオフした状態にできるため、効率良くタッチパネル面の清掃が行えると考えられる。また、監視盤などの駅務機器では、タッチパネルによる操作をオフした状態であっても、監視情報などの表示状態を継続したまま画面の清掃を簡単に行えるという利点もある。
【００６９】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７０】
１…監視盤、２…改札機、１０…制御装置、１１…ＣＰＵ、１１ａ…タイマ、１２…ＲＯＭ、１３…ＲＡＭ、１４…記憶部、１５…通信部、１６…表示制御部、１７…操作制御部、２０…タッチパネル表示装置、２１…表示制御器、２２…操作位置検出器、３３…日時表示部、３４…通路状態表示部、３５…現在状況モニタ、３６…画面ボタン群、３６ａ…警報停止ボタン。
【図１】
2014182775.tif 000003
【図２】
2014182775.tif 000004
【図３】
2014182775.tif 000005
【図４】
2014182775.tif 000006
【図５】
2014182775.tif 000007
【図６】
2014182775.tif 000008
【図７】
2014182775.tif 000009
【図８】
2014182775.tif 000010
【図９】
2014182775.tif 000011